(57)【要約】靴紐保持部を備えながらもインステップカバーの側面部分に多様なデザインを施す余地のあるインステップカバー、およびそのインステップカバーを備えるシューズアッパーを提供する。シューズを構成するシューズアッパー（１００）のうち、着用者の甲側の部分を覆うインステップカバー（１）は、着用者が足を挿入する履き口から爪先に向かって延びるスリット（５Ｓ）と、スリット（５Ｓ）の間隔を調整する靴紐を保持するための靴紐保持部（４）と、を備える。靴紐保持部（４）は、スリット（５Ｓ）を形作るスリットエッジ領域（１１）に設けられるホール（４ｈ）と、紐状体の一端と他端とがスリットエッジ領域（１１）に繋がることで環状に形成され、その紐状体の中間部をホール（４ｈ）の位置に持ってきてホール（４ｈ）から引き出すことができる長さを有する環状のストラップ（４ｓ）と、で構成される保持ユニット（４Ｕ）を備える。
2015056633.tif 000002
【特許請求の範囲】
【請求項１】
シューズを構成するシューズアッパーのうち、着用者の甲側の部分を覆うインステップカバーであって、着用者が足を挿入する履き口から爪先に向かって延びるスリットと、前記スリットの間隔を調整する靴紐を保持するための靴紐保持部と、を備えるインステップカバーにおいて、
前記靴紐保持部は、前記スリットの縁部を含むスリットエッジ領域に設けられるホールと、紐状体の一端と他端とが前記スリットエッジ領域に繋がることで形成され、その紐状体の中間部を前記ホールの位置に持ってきて前記ホールから引き出すことができる長さを有する環状のストラップと、で構成される保持ユニットを備えることを特徴とするインステップカバー。
【請求項２】
前記インステップカバーにおける前記スリットエッジ領域のうち、前記スリットを左右に分ける中心線よりも右側の部分を右側エッジ領域、左側の部分を左側エッジ領域としたとき、
前記靴紐保持部は、
前記右側エッジ領域に形成される右側ホール、及び前記左側エッジ領域に繋がる左側ストラップで構成される第一保持ユニットと、
前記左側エッジ領域に形成される左側ホール、及び前記右側エッジ領域に繋がる右側ストラップで構成され、前記第一保持ユニットと対で用いられる第二保持ユニットと、を備え、
前記インステップカバーの長さ方向における前記右側ホールの位置は、前記右側ストラップを構成する紐状体の爪先側接続部と踵側接続部との間であり、
前記インステップカバーの長さ方向における前記左側ホールの位置は、前記左側ストラップを構成する紐状体の爪先側接続部と踵側接続部との間であることを特徴とする請求項１に記載のインステップカバー。
【請求項３】
請求項１または請求項２に記載のインステップカバーと、着用者の足裏を覆うソールカバーと、前記インステップカバーに設けられる前記スリットの間隔を調整する靴紐と、を備え、
前記ストラップの中間部が二つ折りにされた状態で前記ホールに通され、そのホールから引き出された前記中間部によって形成される紐通し孔に前記靴紐が通された状態で保持されていることを特徴とするシューズアッパー。
【発明の詳細な説明】
【技術分野】
【０００１】
本発明は、シューズアッパーの一部を構成するインステップカバー、およびそのインステップカバーを備えるシューズアッパーに関する。
【背景技術】
【０００２】
シューズは、着用者の足裏を覆うソールカバーと、着用者の甲側の部分を覆うインステップカバーと、を有するシューズアッパーを備える。外履きのシューズでは、このシューズアッパーのソールカバーに、合成樹脂などでできたアウターソールが取り付けられる。近年、シューズアッパーを構成するインステップカバーとソールカバーのうち、インステップカバーを一枚の編地で構成し、生産性良くシューズを作製することが試みられている。例えば、特許文献１では、平面展開された状態のインステップカバーを一枚の編地で作製し、それをインステップカバーとは別に用意したソールカバーと共に合成樹脂などでできたアウターソールに接合することで、シューズを完成させる技術が開示されている。【０００３】
ところで、シューズの履き口から爪先に向かって延びるスリットの位置に靴紐を設けたシューズでは、靴紐を保持する靴紐保持部として、スリットエッジ領域の位置に複数の鳩目（ｅｙｅｌｅｔ）を設けることが一般的である。これに対して、上記特許文献１では、鳩目の代わりに設けられる複数の保持ユニットからなる靴紐保持部を備えるインステップカバーが開示されている。各保持ユニットは、インステップカバーの側面部分に設けられる筒状部（引用文献１ではチャネルと称している）と、その筒状部に挿入・固定される紐状体（引用文献１ではひも要素と称している）と、で構成され、筒状部からスリット側に突出する紐状体によって形成されるループに靴紐が通される。
【先行技術文献】
【特許文献】
【０００４】
【特許文献１】特開２０１２−１９６４８８号公報
【発明の概要】
【発明が解決しようとする課題】
【０００５】
特許文献１のインステップカバーには、そのデザインが限定されてしまうという問題がある。特許文献１のインステップカバーでは、その側面部分に保持ユニットを構成する筒状部を形成しなければならないからである。特に、近年ではデザインの嗜好が多様化しているため、その多様化の要請に引用文献１の構成は応えることができない。【０００６】
また、特許文献１のインステップカバーには、その生産性が芳しくないという問題がある。特許文献１のインステップカバーでは、インステップカバーの側面部分に筒状部を形成した後、インステップカバーとは別に作製した紐状体をその筒状部に挿入・固定する必要があるからである。【０００７】
本発明は上記事情に鑑みてなされたものであり、本発明の目的の一つは、靴紐保持部を備えながらもインステップカバーの側面部分に多様なデザインを施す余地のあるインステップカバー、およびシューズアッパーを提供することにある。また、本発明の別の目的は、生産性に優れる靴紐保持部を備えるインステップカバー、およびシューズアッパーを提供することにある。
【課題を解決するための手段】
【０００８】
本発明のインステップカバーは、シューズを構成するシューズアッパーのうち、着用者の甲側の部分を覆うインステップカバーであって、着用者が足を挿入する履き口から爪先に向かって延びるスリットと、スリットの間隔を調整する靴紐を保持するための靴紐保持部と、を備える。この本発明のインステップカバーに備わる靴紐保持部は、スリットを形作るスリットエッジ領域に設けられるホールと、紐状体の一端と他端とがスリットエッジ領域に繋がることで形成され、その紐状体の中間部をホールの位置に持ってきてホールから引き出すことができる長さを有する環状のストラップと、で構成される保持ユニットを備えることを特徴とする。【０００９】
本発明のインステップカバーとして、インステップカバーにおけるスリットエッジ領域のうち、スリットを左右に分ける中心線よりも右側の部分を右側エッジ領域、左側の部分を左側エッジ領域としたとき、靴紐保持部が、第一保持ユニットと、この第一保持ユニットと対で用いられる第二保持ユニットと、を備える形態を挙げることができる。この形態では、第一保持ユニットは、右側エッジ領域に形成される右側ホール、及び左側エッジ領域に繋がる左側ストラップで構成され、第二保持ユニットは、左側エッジ領域に形成される左側ホール、及び右側エッジ領域に繋がる右側ストラップで構成される。また、インステップカバーの長さ方向における右側ホールの位置は、右側ストラップを構成する紐状体の爪先側接続部と踵側接続部との間であり、インステップカバーの長さ方向における左側ホールの位置は、左側ストラップを構成する紐状体の爪先側接続部と踵側接続部との間である。【００１０】
本発明のシューズアッパーは、本発明のインステップカバーと、着用者の足裏を覆うソールカバーと、インステップカバーに設けられるスリットの間隔を調整する靴紐と、を備え、ストラップの中間部が二つ折りにされた状態でホールに通されており、そのホールから引き出された中間部によって形成される紐通し孔に靴紐が通された状態で保持されていることを特徴とする。
【発明の効果】
【００１１】
本発明の構成によれば、靴紐を保持する靴紐保持部を備えながらもインステップカバーの側面部分に多様なデザインを施すことができる。それは、靴紐保持部の保持ユニットを構成するホールとストラップが共に、スリットエッジ領域に設けられているからである。また、スリットエッジ領域に設けられるホールとストラップは、例えば後述する実施形態に示すように、横編機などを用いた編成によってインステップカバーに一体に形成することができるため、本発明のインステップカバー、およびそれを用いたシューズアッパーは生産性に優れる。【００１２】
また、対で用いられる第一保持ユニットと第二保持ユニットを備える本発明の構成によれば、靴紐による締め付け力をインステップカバーのスリットエッジ領域にほぼ均等に作用させることができる。その結果、着用者の足に対するインステップカバーのフィット性を向上させることができる。また、上記締め付け力がインステップカバーに偏って作用することを抑制できることから、靴紐保持部などが早期に損傷することを回避することができる。
【図面の簡単な説明】
【００１３】
【図１】シューズアッパーの概略上方斜視図である。
【図２】シューズアッパーのインステップカバーの概略上方斜視図である。
【図３】インステップカバーの編成手順を示す模式図である。
【発明を実施するための形態】
【００１４】
以下、本発明のシューズアッパーと、そのシューズアッパーの一部を構成するインステップカバーの実施形態を図面に基づいて説明する。
【００１５】
＜実施形態１＞
≪全体構成≫
図１に示すシューズアッパー１００は、着用者の甲側の部分を覆うインステップカバー１と、足裏の部分を覆うソールカバー２と、を備える。インステップカバー１には、足の挿入口となる履き口５Ｔと、この履き口５Ｔから爪先に向かって延びるスリット５Ｓが設けられている。このシューズアッパー１００をそのままシューズとして利用しても良いし、ソールカバー２の外側（底側）に樹脂などでできたアウターソール（図示せず）を取り付けることで、シューズを完成させても良い。
【００１６】
上記シューズアッパー１００は、靴紐３によってスリット５Ｓの間隔を調整し、着用者の足に対するシューズアッパー１００（インステップカバー１）のフィット性を向上させるタイプのシューズアッパーである。その靴紐３を保持する靴紐保持部４の構成が、本実施形態におけるシューズアッパー１００（インステップカバー１）の最も特徴とする部分である。以下、シューズアッパー１００の各構成を詳細に説明する。
【００１７】
≪インステップカバー≫
本実施形態におけるインステップカバー１は、ソールカバー２とは別に編成された無縫製の編地である。その編成には、熱融着糸を含む編糸を用いることが好ましい。なお、インステップカバー１は、ソールカバー２と一体に編成された無縫製の編地であっても良い。
【００１８】
インステップカバー１には、既に述べたように履き口５Ｔに繋がるスリット５Ｓが形成されている。このスリット５Ｓの位置には、後付けのタン１１Ｔが設けられている（タン１１Ｔは、インステップカバー１に一体に編成することもできる）。また、インステップカバー１の一部であって、スリット５Ｓの縁部を含むスリットエッジ領域１１には、靴紐３を保持する新規な構成の靴紐保持部４が形成されている。なお、スリットエッジ領域１１は、スリット５Ｓの縁部を含む所定幅（例えば、２．０ｃｍ以下の幅）の領域である。
【００１９】
図１，２に示すように、靴紐保持部４は、筒部４Ｃと、複数の鳩目孔４Ｅと、複数の保持ユニット４Ｕと、で構成されている。筒部４Ｃは、スリット５Ｓの切込み端に設けられ、靴紐３の中央部を保持する（図１参照）。鳩目孔４Ｅは、スリットエッジ領域１１のうち、スリット５ｓを左右に分ける中心線よりも右側の部分を右側エッジ領域１１Ｒ、左側の部分を左側エッジ領域１１Ｌとしたとき、右側エッジ領域１１Ｒおよび左側エッジ領域１１Ｌにおける筒部４Ｃ近傍の位置と履き口５Ｔ近傍の位置とに一つずつ、合計４つ設けられている。もちろん、スリットエッジ領域１１における鳩目孔４Ｅの位置、および鳩目孔４Ｅの数は特に限定されない。
【００２０】
図２に示すように、保持ユニット４Ｕは、スリットエッジ領域１１に設けられるホール４ｈと、紐状体の一端と他端とがスリットエッジ領域１１に繋がることで形成され、ホール４ｈと対で用いられるストラップ４ｓと、で構成される。ストラップ４ｓは、ストラップ４ｓを構成する紐状体の中間部をホール４ｈの位置に持ってきてホール４ｈから引き出すことができる長さを有する。ここで、本実施形態の保持ユニット４Ｕは、丸囲み拡大図に示すように、第一保持ユニット４Ｕ１と、この第一保持ユニット４Ｕ１と対で用いられる第二保持ユニット４Ｕ２と、に分けることができる。第一保持ユニット４Ｕ１は、右側エッジ領域１１Ｒに形成される右側ホール４ｈＲ、及び左側エッジ領域１１Ｌに繋がる左側ストラップ４ｓＬで構成される。一方、第二保持ユニット４Ｕ２は、左側エッジ領域１１Ｌに形成される左側ホール４ｈＬ、及び右側エッジ領域１１Ｒに繋がる右側ストラップ４ｓＲで構成される。両ストラップ４ｓＲ，４ｓＬは、スリット５Ｓを横切り、ホール４ｈＬ，４ｈＲに届く長さを備えている。
【００２１】
インステップカバー１の長さ方向における第一保持ユニット４Ｕ１の右側ホール４ｈＲは、第二保持ユニット４Ｕ２の右側ストラップ４ｓＲを構成する紐状体の爪先側接続部と踵側接続部との間に配置されている。また、インステップカバー１の長さ方向における第二保持ユニット４Ｕ２の左側ホール４ｈＬの位置は、第一保持ユニット４Ｕ１の左側ストラップ４ｓＬを構成する紐状体の爪先側接続部と踵側接続部との間に配置されている。つまり、インステップカバー１の長さ方向におけるほぼ同じ位置で、第一保持ユニット４Ｕ１と第二保持ユニット４Ｕ２とがインステップカバー１の幅方向に並んでいる。このような位置関係にある保持ユニット４Ｕ１,４Ｕ２は、本実施形態では合計４組設けられている。もちろん、保持ユニット４Ｕ１,４Ｕ２の組数は特に限定されない。爪先から踵側に並ぶ各ストラップ４ｓＲ，４ｓＬの長さは一様であっても良いし、異なっていても良い。また、爪先から踵側に並ぶ各ホール４ｈＲ，４ｈＬのスリット５Ｓの縁部からの位置も一様であっても良いし、異なっていても良い。
【００２２】
上述した第一保持ユニット４Ｕ１を構成する左側ストラップ４ｓＬの中間部は、インステップカバー１に靴紐３（図１参照）を設ける際に、二つ折りにされた状態で第一保持ユニット４Ｕ１を構成する右側ホール４ｈＲに通される。また、第二保持ユニット４Ｕ２を構成する右側ストラップ４ｓＲの中間部も、インステップカバー１に靴紐３（図１参照）を設ける際に、二つ折りにされた状態で第二保持ユニット４Ｕ２を構成する左側ホール４ｈＬに通される。その結果、右側ホール４ｈＲから引き出された中間部によって右側紐通し孔が形成され、左側ホール４ｈＬから引き出された中間部によって左側紐通し孔が形成される。この左右の紐通し孔と、上述した筒部４Ｃおよび鳩目孔４Ｅと、に靴紐３を通すことで、図１に示すように、シューズアッパー１００（インステップカバー１）の靴紐保持部４に、スリット５Ｓの間隔を調整する靴紐３を設けることができる。
【００２３】
なお、靴紐３の通し方は、図１に示す通し方に限定されるわけではない。図１では、ストラップ４ｓＬ，４ｓＲをホール４ｈＲ，４ｈＬの裏側から表側に通しているが、表側から裏側に通しても良い。この点は、後述する実施形態２〜４においても同様である。
【００２４】
≪ソールカバー≫
一方、図１に示すシューズアッパー１００を構成するソールカバー２は、上述したインステップカバー１とは別に編成された編地である。ソールカバー２は、インステップカバー１を構成する編糸よりも強度に優れる編糸を用いて編成することが好ましい。なお、ソールカバー２は、編地である必要はなく、例えば織物でも良いし、樹脂などの成形物などであっても構わない。
【００２５】
≪効果≫
以上説明した本実施形態のシューズアッパー１００は、今までに無い新規なデザインを有する。また、靴紐３を保持する靴紐保持部４がスリットエッジ領域１１に設けられ、シューズアッパー１００の側面部分に及んでいないため、当該側面部分のデザインを自由に変更することができる。
【００２６】
また、本実施形態のシューズアッパー１００では、インステップカバー１に一体に設けられるストラップ４ｓを、同じくインステップカバー１に一体に設けられるホール４ｈに挿入するだけで、靴紐３を保持する保持ユニット４Ｕを形成することができる。つまり、保持ユニット４Ｕを形成するにあたり、部材を別途用意する手間や、その用意した部材をインステップカバー１に取り付ける手間がなく、本実施形態のシューズアッパー１００は生産性に優れる。
【００２７】
≪インステップカバーの編成方法≫
ここで、本実施形態におけるインステップカバー１は、少なくとも前後一対の針床を備え、前後の針床間で編目の目移しが可能な横編機を用いて編成することができる。以下、２枚の針床を備える横編機を用いてインステップカバー１の編成手順の一例を、図３に示す編成手順の模式図に基づいて説明する。
【００２８】
図３に示す編成手順では、インステップカバー１を、ボディー部１Ｂとヒールカバー部１Ｈとに分けて編成した。ヒールカバー部１Ｈは、着用者のアキレス腱から踵に至る領域を覆う部分であり、ボディー部１Ｂはそれ以外の部分である。図中の白抜き矢印で示すように、本実施形態では、ボディー部１Ｂを爪先側から踵側に向かって編成し、次いでヒールカバー部１Ｈを上端側（履き口５Ｔ側）から下端側（底側）に向かって編成した。なお、詳しい説明は省略するが、ヒールカバー部１Ｈを下端側から上端側に向かって編成し、次いでボディー部１Ｂを踵側から爪先側に向かって編成することも可能である。
【００２９】
本編成手順ではまず、ボディー部１Ｂをその爪先側から踵側に向かって編成し、ボディー部１Ｂを完成させた。その際、ボディー部１Ｂの編成において、部分的に編組織や編糸を変えても良い。このボディー部１Ｂは、インステップカバー１の長さ方向に領域α〜領域δに分けて編成される。また、ボディー部１Ｂの左側部分と右側部分とは、針床上で左右に並べた状態で編成される。
【００３０】
領域αの編成では、インステップカバー１の爪先からスリット５Ｓの切込み端の位置まで編成した。領域αの部分は、一つの給糸口を用いて編成することもできるし、複数の給糸口を用いて編成することもできる。
【００３１】
また、領域αの部分は天竺組織よりも肉厚の編組織とすることが好ましい（この点は後述する領域β〜領域δ、およびヒールカバー部１Ｈにおいても同様である）。肉厚の編組織は、前後の針床を用いて編組織に厚みを持たせる編成方法によって編成することができる。その編成方法は、前後の針床を用いた編成方法であれば、特に限定されない。例えば、リブ編みや袋編みなどの前後の針床を用いる編成を適宜組み合わせて肉厚の編組織を編成することができる。
【００３２】
領域βでは、スリット５Ｓの切込み端の位置に筒部４Ｃを編成すると共に、インステップカバー１の右側部分と左側部分とを編成した。筒部４Ｃは、例えば、切込み端の位置でインステップカバー１を前後に分岐させ、一方の分岐部に連続して編地部を編成した後、その編地部のウエール方向端部を他方の分岐部に接続することで形成すれば良い。
【００３３】
一方、インステップカバー１の右側部分と左側部分とは、別々の給糸口を用いて編成した。右側部分と左側部分とはそれぞれ、一つの給糸口を用いて編成しても良いし、複数の給糸口を用いて編成しても良い。右側部分と左側部分にそれぞれ設けられる鳩目孔４Ｅの形成には、目移しと重ね目の形成などを利用することができる。
【００３４】
領域γでは、インステップカバー１の右側部分と左側部分を編成すると共に、第一保持ユニット４Ｕ１（４Ｕ）と第二保持ユニット４Ｕ２（４Ｕ）を形成する。既に説明したように、第一保持ユニット４Ｕ１は、右側エッジ領域１１Ｒに形成される右側ホール４ｈＲと、左側エッジ領域１１Ｌに繋がる左側ストラップ４ｓＬと、で構成され、第二保持ユニット４Ｕ２は、左側エッジ領域１１Ｌに形成される左側ホール４ｈＬと、右側エッジ領域１１Ｒに繋がる右側ストラップ４ｓＲと、で構成される。
【００３５】
領域γの編成にあたり、インステップカバー１の右側部分のうち、スリット５Ｓ側の一部の編目に続けて、右側ストラップ４ｓＲとなる紐状体の編成を開始した。紐状体は、インステップカバー１の右側部分の編成に使用する給糸口とは別の給糸口を用いて編成した。その紐状体は、前後の針床を用いた袋編みなどの編成技術を用いて編成することが好ましく、そうすることで丈夫で切れ難い紐状体（右側ストラップ４ｓＲ）を形成することができる。一方、紐状体とは別に、インステップカバー１の右側部分の編成も行なった。その編成の際、領域βの鳩目孔４Ｅと同じ要領で右側ホール４ｈＲを形成した。そして、紐状体のウエール方向終端部と、インステップカバー１の右側部分におけるスリット５Ｓ寄りの部分と、を接続し、右側ストラップ４ｓＲを完成させた。この編成手順によれば、インステップカバー１の長さ方向における右側ホール４ｈＲの位置は、右側ストラップ４ｓＲを構成する紐状体の爪先側接続部と踵側接続部との間となる。
【００３６】
また、インステップカバー１の右側部分と同様の要領で、インステップカバー１の左側部分に、左側ホール４ｈＬと左側ストラップ４ｓＬとを形成した。その結果、インステップカバー１の長さ方向における左側ホール４ｈＬの位置は、左側ストラップ４ｓＬを構成する紐状体の爪先側接続部と踵側接続部の間となる。
【００３７】
以降は、インステップカバー１の編成と、上述した第一保持ユニット４Ｕ１と第二保持ユニット４Ｕ２の編成と、を繰り返し、所望の数の保持ユニット４をインステップカバー１に形成すれば良い。
【００３８】
領域δでは、インステップカバー１の左側部分と右側部分の編幅を適宜増やしたり減らしたりして、インステップカバー１の右側部分と左側部分とを完成させる。ボディー部１Ｂの後に編成するヒールカバー部１Ｈの形状を考慮して、ボディー部１Ｂの踵側で上記右側部分と左側部分の編幅を徐々に減らす。
【００３９】
ボディー部１Ｂの編成に続いて、針床の長手方向における左側部分の終端編目列と、右側部分の終端編目列と、の間でヒールカバー部１Ｈの下端となる編出し部を編成する。そして、ヒールカバー部１Ｈの編出し部のウエール方向に続いてヒールカバー部１Ｈとなる編目列を編成することと、その編目列の編幅方向の一端側の編目及び他端側の編目をそれぞれ、左側部分の終端編目列の編目及び右側部分の終端編目列の編目に重ねることと、を繰り返し、ヒールカバー部１Ｈを完成させる。ヒールカバー部１Ｈとボディー部１Ｂとの接続の際は、ボディー部１Ｂの編目をヒールカバー部１Ｈ側に寄せて、両部１Ｂ，１Ｈの編目を重ねると良い。重ね目のウエール方向に続いてヒールカバー部１Ｈの編目列を編成すれば、重ね目が固定されて、ヒールカバー部１Ｈとボディー部１Ｂとが接続される。
【００４０】
ヒールカバー部１Ｈは左右対称の形状としても良いし、左右の足の形状に合わせて非対象の形状としても良い。また、ヒールカバー部１Ｈを編成する編糸は、ボディー部１Ｂを編成する編糸と同一であっても良いし、異なっていても良い。
【００４１】
以上説明した手順に従えば、ヒールカバー部１Ｈの編幅方向端部と、ボディー部１Ｂのウエール方向端部と、が接続される。そのため、ヒールカバー部１Ｈとボディー部１Ｂとが互いに支え合い、インステップカバー１が立体的に保形された状態になる。この手順に従って編成されたインステップカバー１のボディー部１Ｂの編目は踵側に向き、ヒールカバー部１Ｈの編目はシューズアッパー１００の下側に向く。
【００４２】
また、上記手順ではインステップカバー１全体が、前後の針床を用いて編成された肉厚の編組織で構成されている。使用時に負荷がかかるシューズのインステップカバー１を肉厚の編組織で構成すれば、形崩れし難く、確りしたインステップカバー１とすることができ、シューズアッパー１００（シューズ）の耐久性を向上させることができる。
【００４３】
なお、インステップカバー１にソールカバー２を一体に編成する場合、図３のヒールカバー部１Ｈの下端（紙面上は上端）に続けてソールカバー２を編成すれば良い。その際、インステップカバー１の編成に使用した編糸よりも強度に優れる編糸を用いてソールカバー２を編成すれば、着用者の体重が作用するソールカバー２を丈夫にすることができる。
【００４４】
≪その他の編成方法≫
図３に示す編成方法では、針床の長手方向にインステップカバー１の右側部分と左側部分とを並べた状態で編成した。これに対して、横編機の一方の針床でインステップカバー１の右側部分を編成し、他方の針床でインステップカバー１の左側部部分を編成しても良い。その場合も、靴紐保持部４を構成する両保持ユニット４Ｕ１,４Ｕ２は、図３を参照して説明した編成手順と同様の手順で編成することができる。
【００４５】
編成の向きは特に限定されない。また、インステップカバー１を肉厚の編組織とするのであれば、針抜き編成などを利用すれば良い。
【００４６】
＜実施形態２＞
実施形態１では、図２に示すように、右側ホール４ｈＲに左側ストラップ４ｓＬの中間部を通し、左側ホール４ｈＬに右側ストラップ４ｓＲの中間部を通した。これに対して、ストラップ４ｓＲ，４ｓＬを通すホールの位置を変更してもかまわない。
【００４７】
例えば、右側ホール４ｈＲに右側ストラップ４ｓＲの中間部を通し、左側ホール４ｈＬに左側ストラップ４ｓＬの中間部を通しても構わない。つまり、右側ホール４ｈＲと右側ストラップ４ｓＲとによって、右側紐通し孔を形成するための保持ユニットが形成され、左側ホール４ｈＬと左側ストラップ４ｓＬとによって、左側紐通し孔を形成するための保持ユニットが形成される。この場合、各ストラップ４ｓＲ，４ｓＬの長さを実施形態１の構成よりも短くすると良い。
【００４８】
その他、各ストラップ４ｓＲ，４ｓＬの中間部を、図２に示す状態よりも履き口５Ｔ側、あるいは爪先側にずれたホール４ｈＬ，４ｈＲ（あるいは、鳩目孔４Ｅ）に通しても良い。
【００４９】
＜実施形態３＞
実施形態１のインステップカバー１では、対となる第一保持ユニット４Ｕ１と第二保持ユニット４Ｕ２とを、シューズアッパー１００の長さ方向におけるほぼ同じ位置に設けた。これに対して、両保持ユニット４Ｕ１，４Ｕ２を、シューズアッパー１００の長さ方向におけるずれた位置に設けてもかまわない。この場合、左側紐通し孔と右側紐通し孔とがジグザグ状に配置されたインステップカバー１となる。
【００５０】
＜実施形態４＞
第一保持ユニット４Ｕ１（第二保持ユニット４Ｕ２）のみを設けると共に、その第一保持ユニット４Ｕ１（第二保持ユニット４Ｕ２）の紐通し孔に対応する鳩目孔を設けたインステップカバー１としても構わない。この場合、スリット５Ｓを挟む一方の側に紐通し孔が並び、他方の側に鳩目孔が並んだインステップカバー１となる。
【符号の説明】
【００５１】
１００  シューズアッパー
１  インステップカバー
１Ｂ  ボディー部  １Ｈ  ヒールカバー部
１１  スリットエッジ領域  １１Ｔ  タン
１１Ｒ  右側エッジ領域  １１Ｌ  左側エッジ領域
２  ソールカバー
３  靴紐
４  靴紐保持部
４Ｕ  保持ユニット  ４ｈ  ホール  ４ｓ  ストラップ
４Ｕ１  第一保持ユニット  ４ｈＲ  右側ホール  ４ｓＬ  左側ストラップ
４Ｕ２  第二保持ユニット  ４ｈＬ  左側ホール  ４ｓＲ  右側ストラップ
４Ｃ  筒部  ４Ｅ  鳩目孔
５Ｔ  履き口  ５Ｓ  スリット
【図１】
2015056633.tif 000003
【図２】
2015056633.tif 000004
【図３】
2015056633.tif 000005
【国際調査報告】
2015056633.tif 000006
2015056633.tif 000007